(57)【要約】      （修正有）【課題】マザーボードが反ることなくプラグインユニットの挿抜荷重に耐え得るようにすることができると共に、部品数が少なく、低コストであるシェルフ装置及びマザーボードの支持方法を提供する。【解決手段】左右のサイドパネル１４Ｌはそれぞれ、マザーボード１００の左右辺の表面に対応した第１突起１４３を備え、リアカバー１５は、マザーボード１００の裏面に対応した突条部１５３と、マザーボード１００の孔部に対応したガイドピン１５４とを備えている。リアカバー１５が、下及び上ガイドベース１３Ｂ及び１３Ｔならびに左右サイドパネル１４Ｌから成る枠体に対して固定されることにより、マザーボード１００が前後方向に位置決めされると共に支持される。また、ガイドピン１５４が、枠体内に位置決めされたマザーボード１００の孔部に挿入されることにより、リアカバー１５が左右方向ならびに上下方向に位置決めされると共に支持される。【選択図】  図３
2008060447.tif 000002
【特許請求の範囲】
【請求項１】
複数のプラグインユニットが抜去可能に挿入されるマザーボードを支持するシェルフ装置であって、下および上ガイドベースならびに左および右サイドパネルから成る枠体と、該枠体の背面に取り外し可能に装着されるリアカバーとを有するシェルフ装置において、
前記左および前記右サイドパネルはそれぞれ、マザーボードの左右辺のおもて面に対応した第１突起を備えており、
前記リアカバーは、マザーボードの裏面に対応した突条部と、マザーボードの裏面に形成された孔部に対応したガイドピンとを備えており、
前記リアカバーが前記枠体に対して固定されることにより、マザーボードが前後方向に位置決めされると共に支持され、
前記ガイドピンが、前記枠体内にて左右方向ならびに上下方向に位置決めされたマザーボードの孔部に挿入されることにより、前記リアカバーが左右方向ならびに上下方向に位置決めされると共に支持されることを特徴とするシェルフ装置。
【請求項２】
前記下ガイドベースは、マザーボードの下辺に形成された突起に対応した孔部を備えており、
マザーボードの突起が前記孔部に挿入されることにより、マザーボードが前後方向、左右方向、ならびに下方向に位置決めされると共に支持される請求項１に記載のシェルフ装置。
【請求項３】
前記左および前記右サイドパネルはそれぞれ、マザーボードの左右辺の裏面に対応した第２突起を備えており、
マザーボードが前記第１突起と前記第２突起との間に挿入されることにより、マザーボードが前後方向に位置決めされると共に支持される請求項１または２に記載のシェルフ装置。
【請求項４】
前記左および前記右サイドパネルはそれぞれ、異なる厚さの複数のマザーボードの左右辺の裏面それぞれに対応して、複数の前記第２突起を備えている請求項３に記載のシェルフ装置。
【請求項５】
前記左および前記右サイドパネルは、各後辺領域に、外側に突出する弾性片を備えており、
前記リアカバーは、前記左および前記右サイドパネルの後辺領域の外側に対応する左および右フランジ部を備えており、
前記左および前記右フランジ部はそれぞれ、前記弾性片に対応する切欠部を備えており、
前記弾性片が前記切欠部に係合されることにより、前記リアカバーが前後方向、左右方向、ならびに上下方向に位置決めされると共に支持される請求項１乃至４のいずれか１つに記載のシェルフ装置。
【請求項６】
マザーボードおよび前記リアカバーがネジによって前記枠体に対して共締めでネジ止めされることにより、マザーボードおよび前記リアカバーが前後方向、左右方向、ならびに上下方向に支持される請求項１乃至５のいずれか１つに記載のシェルフ装置。
【請求項７】
前記上ガイドベースは、マザーボードの上辺のおもて面に対応した載置面を備えており、
前記リアカバーは、マザーボードの上辺の裏面に対応した他の突条部を備えており、
前記リアカバーが前記上ガイドベースに対して固定されることにより、マザーボードが前後方向に位置決めされると共に支持される請求項１乃至６のいずれか１つに記載のシェルフ装置。
【請求項８】
請求項１乃至７のいずれか１つに記載のシェルフ装置と、電子回路基板である前記マザーボードとを有することを特徴とする電子機器。
【請求項９】
請求項１乃至７のいずれか１つに記載のシェルフ装置と、電子光学回路基板である前記マザーボードとを有することを特徴とする光学電子機器。
【請求項１０】
複数のプラグインユニットが抜去可能に挿入されるマザーボードをシェルフ装置によって支持するマザーボードの支持方法であって、前記シェルフ装置は、下および上ガイドベースならびに左および右サイドパネルから成る枠体と、該枠体の背面に取り外し可能に装着されるリアカバーとを有するマザーボードの支持方法において、
前記左および前記右サイドパネルにそれぞれ、マザーボードの左右辺のおもて面に対応した第１突起を形成する工程と、
前記リアカバーに、マザーボードの裏面に対応した突条部と、マザーボードの裏面に形成された孔部に対応したガイドピンとを形成する工程と、
前記リアカバーを前記枠体に対して固定することにより、マザーボードを前後方向に位置決めすると共に支持する工程と、
前記ガイドピンを、前記枠体内にて左右方向ならびに上下方向に位置決めされたマザーボードの孔部に挿入することにより、前記リアカバーを左右方向ならびに上下方向に位置決めすると共に支持する工程とを有することを特徴とするマザーボードの支持方法。
【請求項１１】
前記下ガイドベースに、マザーボードの下辺に形成された突起に対応した孔部を形成する工程と、
マザーボードの突起を前記孔部に挿入することにより、マザーボードを前後方向、左右方向、ならびに下方向に位置決めすると共に支持する工程とを有する請求項１０に記載のマザーボードの支持方法。
【請求項１２】
前記左および前記右サイドパネルにそれぞれ、マザーボードの左右辺の裏面に対応した第２突起を形成する工程と、
マザーボードを前記第１突起と前記第２突起との間に挿入することにより、マザーボードを前後方向に位置決めすると共に支持する工程とを有する請求項１０または１１に記載のマザーボードの支持方法。
【請求項１３】
前記左および前記右サイドパネルにそれぞれ、異なる厚さの複数のマザーボードの左右辺の裏面それぞれに対応して、複数の前記第２突起を形成する工程を有する請求項１２に記載のマザーボードの支持方法。
【請求項１４】
前記左および前記右サイドパネルに、各後辺領域に、外側に突出する弾性片を形成する工程と、
前記リアカバーに、前記左および前記右サイドパネルの後辺領域の外側に対応する左および右フランジ部を形成する工程と、
前記左および前記右フランジ部にそれぞれ、前記弾性片に対応する切欠部を形成する工程と、
前記弾性片を前記切欠部に係合することにより、前記リアカバーを前後方向、左右方向、ならびに上下方向に位置決めすると共に支持する工程とを有する請求項１０乃至１３のいずれか１つに記載のマザーボードの支持方法。
【請求項１５】
マザーボードおよび前記リアカバーをネジによって前記枠体に対して共締めでネジ止めすることにより、マザーボードおよび前記リアカバーを前後方向、左右方向、ならびに上下方向に支持する工程を有する請求項１０乃至１４のいずれか１つに記載のマザーボードの支持方法。
【発明の詳細な説明】
【技術分野】
【０００１】
本発明は、通信システムや情報処理システムにおける中継装置やサーバ装置等の電子機器または光学電子機器に適用され、複数のプラグインユニットが抜去可能に挿入されるマザーボードを収容すると共に支持するシェルフ装置に関する。
【背景技術】
【０００２】
この種のシェルフ装置は、下および上ガイドベースと左および右サイドパネルから成る枠体と、枠体の背面に取り外し可能に装着されるリアカバーとを有している。下および上ガイドベースには、マザーボードがネジ止めされる。
【０００３】
一方、シェルフ装置の支持対象であるマザーボードは、複数のプラグインユニットを抜去可能に挿入するための複数のコネクタと、複数のプラグインユニットの挿入を案内するための複数のガイドピンモジュールとを備えている。
【０００４】
近年のマザーボードおよびプラグインユニットの高密度実装化に伴い、マザーボードとプラグインユニットとを接続するコネクタのピン数が増加しつつある。コネクタのピン数が多いと、マザーボードにプラグインユニットを挿抜するための荷重が大きい。例えば、プラグインユニットの挿抜荷重は、９８０Ｎ程度である。
【０００５】
従来のシェルフ装置は、マザーボードが反ることなくプラグインユニットの挿抜荷重に耐え得るように、マザーボードを補強するための複数の補強金具を有している。複数の補強金具のうちの幾つかは、マザーボード単体にネジ止めされる。複数の補強金具のうちの残りは、シェルフ装置の下および上ガイドベースにマザーボードと共締めでネジ止めされる。
【０００６】
図１（ａ）および（ｂ）を参照すると、従来のこの種のシェルフ装置の一例は、マザーボード３００を収容および支持するものであり、下および上ガイドベース６３Ｂおよび６３Ｔならびに左および右サイドパネル６４Ｌおよび６４Ｒから成る枠体と、枠体の背面に取り外し可能に装着されるリアカバー６５と、補強金具７１Ｂ、７１Ｔ、７１Ｍ、および７２Ｍとを有している。
【０００７】
マザーボード３００のおもて面には、最大２１枚のプラグインユニット（図示せず）を抜去可能に挿入するための４２個のコネクタ３１０と、プラグインユニットの挿入を案内すると共にプラグインユニットがマザーボードの定位置となるように規制するための２１個のガイドピンモジュール３２０とが備えられている。各ガイドピンモジュール３２０は、マザーボード３００の裏面から螺入されるネジによってネジ止めされている。
【０００８】
マザーボード３００には、補強金具７１Ｍおよび７２Ｍが、それらの間にマザーボード３００が挟まれるように、５本のネジによってネジ止めされている。補強金具７１Ｂおよび７１Ｔはそれぞれ、シェルフ装置の下および上ガイドベース６３Ｂおよび６３Ｔに、マザーボード３００と共締めで、５本のネジによってネジ止めされている。リアカバー６５は、下および上ガイドベース６３Ｂおよび６３Ｔに対してそれぞれ２本のネジ（図示せず）によってネジ止めされている。
【０００９】
また、非特許文献１には、複数のプラグインユニットが抜去可能に挿入されるマザーボードを収容および支持するシェルフ装置が開示されている。このシェルフ装置においては、以前はシェルフ装置におけるスタンドアロンな部品として具備されていたマザーボードの反り防止金具に代え、マザーボードの反り防止機能をなす部位をリアカバーに一体に形成している。
【００１０】
【非特許文献１】発明協会公開技報番号２００４−５０３１７８
【発明の開示】
【発明が解決しようとする課題】
【００１１】
図１に示されたものをも含め、従来のシェルフ装置には、次のような問題点がある。
【００１２】
従来のシェルフ装置においては、マザーボードが反ることなくプラグインユニットの挿抜荷重に耐え得るようにするための複数の補強金具と、補強金具のマザーボードに対する装着、マザーボードのシェルフ装置に対する装着、およびリアカバーのシェルフ装置に対する装着のために用いられる多数のネジとを有している。即ち、従来のシェルフ装置は、部品数が多く、コストが高い。
【００１３】
また、このようなシェルフ装置によってマザーボードを支持する従来の方法は、補強金具のマザーボードに対する装着、マザーボードのシェルフ装置に対する装着、およびリアカバーのシェルフ装置に対する装着それぞれにおいて補強金具、マザーボード、およびリアカバーの位置決め工数やネジ止め工数が多く、作業が煩雑である。
【００１４】
さらに、シェルフ装置の支持対象である従来のマザーボードは、多数のガイドピンモジュールの固定のために、多数のネジを用いている。即ち、従来のマザーボードは、部品数が多く、コストが高い。また、従来のマザーボードの組み立て方法は、ガイドピンモジュールのネジ止め工数が多く、作業が煩雑である。
【００１５】
また、非特許文献１に開示されたシェルフ装置は、マザーボードの反り防止金具を削減できてはいるものの、さらなる部品数の削減が望まれるところである。
【００１６】
それ故、本発明の課題は、マザーボードが反ることなくプラグインユニットの挿抜荷重に耐え得るようにすることができると共に、部品数が少なく、低コストであるシェルフ装置を提供することである。
【００１７】
本発明の他の課題は、マザーボードを支持する方法における作業の容易化に寄与するシェルフ装置を提供することである。
【００１８】
本発明のさらに他の課題は、マザーボードを容易に支持することができるマザーボードの支持方法を提供することである。
【００１９】
本発明の他の課題は、マザーボードの部品数削減、低コスト化に寄与するシェルフ装置を提供することである。
【００２０】
本発明の他の課題は、マザーボードの組み立て方法における作業の容易化に寄与するシェルフ装置を提供することである。
【課題を解決するための手段】
【００２１】
本発明によれば、複数のプラグインユニットが抜去可能に挿入されるマザーボードを支持するシェルフ装置であって、下および上ガイドベースならびに左および右サイドパネルから成る枠体と、該枠体の背面に取り外し可能に装着されるリアカバーとを有するシェルフ装置において、前記左および前記右サイドパネルはそれぞれ、マザーボードの左右辺のおもて面に対応した第１突起を備えており、前記リアカバーは、マザーボードの裏面に対応した突条部と、マザーボードの裏面に形成された孔部に対応したガイドピンとを備えており、前記リアカバーが前記枠体に対して固定されることにより、マザーボードが前後方向に位置決めされると共に支持され、前記ガイドピンが、前記枠体内にて左右方向ならびに上下方向に位置決めされたマザーボードの孔部に挿入されることにより、前記リアカバーが左右方向ならびに上下方向に位置決めされると共に支持されることを特徴とするシェルフ装置が得られる。
【００２２】
前記下ガイドベースは、マザーボードの下辺に形成された突起に対応した孔部を備えており、マザーボードの突起が前記孔部に挿入されることにより、マザーボードが前後方向、左右方向、ならびに下方向に位置決めされると共に支持されるものであってもよい。
【００２３】
前記左および前記右サイドパネルはそれぞれ、マザーボードの左右辺の裏面に対応した第２突起を備えており、マザーボードが前記第１突起と前記第２突起との間に挿入されることにより、マザーボードが前後方向に位置決めされると共に支持されるものであってもよい。
【００２４】
前記左および前記右サイドパネルはそれぞれ、異なる厚さの複数のマザーボードの左右辺の裏面それぞれに対応して、複数の前記第２突起を備えていてもよい。
【００２５】
前記左および前記右サイドパネルは、各後辺領域に、外側に突出する弾性片を備えており、前記リアカバーは、前記左および前記右サイドパネルの後辺領域の外側に対応する左および右フランジ部を備えており、前記左および前記右フランジ部はそれぞれ、前記弾性片に対応する切欠部を備えており、前記弾性片が前記切欠部に係合されることにより、前記リアカバーが前後方向、左右方向、ならびに上下方向に位置決めされると共に支持されるものであってもよい。
【００２６】
マザーボードおよび前記リアカバーがネジによって前記枠体に対して共締めでネジ止めされることにより、マザーボードおよび前記リアカバーが前後方向、左右方向、ならびに上下方向に支持されるものであってもよい。
【００２７】
前記上ガイドベースは、マザーボードの上辺のおもて面に対応した載置面を備えており、前記リアカバーは、マザーボードの上辺の裏面に対応した他の突条部を備えており、前記リアカバーが前記上ガイドベースに対して固定されることにより、マザーボードが前後方向に位置決めされると共に支持されるものであってもよい。
【００２８】
また、本発明によれば、前記シェルフ装置と、電子回路基板である前記マザーボードとを有することを特徴とする電子機器が得られる。
【００２９】
さらに、本発明によれば、前記シェルフ装置と、電子光学回路基板である前記マザーボードとを有することを特徴とする光学電子機器が得られる。
【００３０】
また、本発明によれば、複数のプラグインユニットが抜去可能に挿入されるマザーボードをシェルフ装置によって支持するマザーボードの支持方法であって、前記シェルフ装置は、下および上ガイドベースならびに左および右サイドパネルから成る枠体と、該枠体の背面に取り外し可能に装着されるリアカバーとを有するマザーボードの支持方法において、前記左および前記右サイドパネルにそれぞれ、マザーボードの左右辺のおもて面に対応した第１突起を形成する工程と、前記リアカバーに、マザーボードの裏面に対応した突条部と、マザーボードの裏面に形成された孔部に対応したガイドピンとを形成する工程と、
前記リアカバーを前記枠体に対して固定することにより、マザーボードを前後方向に位置決めすると共に支持する工程と、前記ガイドピンを、前記枠体内にて左右方向ならびに上下方向に位置決めされたマザーボードの孔部に挿入することにより、前記リアカバーを左右方向ならびに上下方向に位置決めすると共に支持する工程とを有することを特徴とするマザーボードの支持方法が得られる。
【発明の効果】
【００３１】
本発明によるシェルフ装置は、マザーボードが反ることなくプラグインユニットの挿抜荷重に耐え得るようにすることができると共に、部品数が少なく、低コストである。
【００３２】
また、本発明によるシェルフ装置は、マザーボードを支持する方法における作業の容易化に寄与する。
【００３３】
さらに、本本発明によるマザーボードの支持方法は、マザーボードを容易に支持することができる。
【００３４】
また、本発明によるシェルフ装置は、マザーボードの部品数削減、低コスト化に寄与する。
【００３５】
また、本発明によるシェルフ装置は、マザーボードの組み立て方法における作業の容易化に寄与する。
【発明を実施するための最良の形態】
【００３６】
以下、図面を参照して、本発明の実施形態について詳細に説明する。
【００３７】
［実施形態１］
図２（ａ）および（ｂ）を参照すると、本発明の実施形態１によるシェルフ装置は、複数のプラグインユニット（図示せず）が抜去可能に挿入されるマザーボード１００を収容および支持するものである。本シェルフ装置は、下および上ガイドベース１３Ｂおよび１３Ｔならびに左および右サイドパネル１４Ｌおよび１４Ｒから成る枠体と、枠体の背面に取り外し可能に装着されるリアカバー１５とを有している。
【００３８】
マザーボード１００は、左および右サイドパネル１４Ｌおよび１４Ｒ間に僅かな隙間を置いて位置することにより、左右方向に有る程度位置決めされる。
【００３９】
図３を参照すると、上ガイドベース１３Ｔは、マザーボード１００の上辺のおもて面に対応した載置面１４２を備えている。
【００４０】
一方、リアカバー１５は、マザーボード１００の上辺の裏面に対応した突条部１５２を備えている。
【００４１】
リアカバー１５が上ガイドベース１３Ｔに対して固定されることにより、マザーボード１００が前後方向に位置決めされると共に支持される。尚、図２（ｂ）における斜線を付した領域は、突条部１５２がマザーボード１００の裏面に対して接触している領域である。
【００４２】
左および右サイドパネル１４Ｌおよび１４Ｒはそれぞれ、マザーボード１００の左右辺のおもて面に対応した第１突起１４３を備えている。一方、リアカバー１５は、マザーボード１００の裏面に対応した突条部１５３を備えている。リアカバー１５が下および上ガイドベース１３Ｂおよび１３Ｔならびに左および右サイドパネル１４Ｌおよび１４Ｒから成る枠体に対して固定されることにより、マザーボード１００が前後方向に位置決めされると共に支持される。尚、図２（ｂ）におけるもう一つの斜線を付した領域は、突条部１５３がマザーボード１００の裏面に対して接触している領域である。
【００４３】
左および右サイドパネル１４Ｌおよび１４Ｒの第１突起１４３ならびにリアカバー１５の突条部１５２および１５３は、マザーボード１００が反ることなくプラグインユニットの挿抜荷重に耐え得るように、マザーボード１００を補強する機能をもなす。この結果、マザーボード１００は、プラグインユニットの例えば９８０Ｎ程度の挿抜荷重に対して、十分に耐え得る。
【００４４】
さらに、図２（ａ）および（ｂ）ならびに図３に示されるように、マザーボード１００およびリアカバー１５がネジ２００によって枠体の一部である上ガイドベース１３Ｔに対して共締めでネジ止めされることにより、マザーボード１００およびリアカバー１５が前後方向、左右方向、ならびに上下方向に位置決めされると共に支持される。
【００４５】
図２（ａ）および（ｂ）ならびに図３に加え、さらに図９を参照すると、本シェルフ装置において、リアカバー１５は、マザーボード１００の裏面に形成された孔部１０３に対応したガイドピン１５４を備えている。
【００４６】
ガイドピン１５４が、下および上ガイドベース１３Ｂおよび１３Ｔならびに左および右サイドパネル１４Ｌおよび１４Ｒから成る枠体内にて左右方向ならびに上下方向に位置決めされたマザーボード１００の孔部１０３に挿入されることにより、リアカバー１５も左右方向ならびに上下方向に位置決めされると共に支持される。
【００４７】
尚、ガイドピン１５４は、マザーボード１００のコネクタ１１０に対するプラグインユニットの挿入を案内する機能をもなす。
【００４８】
さらに、図２（ａ）および（ｂ）ならびに図３に示されるように、マザーボード１００およびリアカバー１５がネジ２００によって枠体の一部である上ガイドベース１３Ｔに対して共締めでネジ止めされることにより、マザーボード１００およびリアカバー１５が前後方向、左右方向、ならびに上下方向に位置決めされると共に支持される。
【００４９】
［実施形態２］
図２（ａ）および（ｂ）ならびに図４（ａ）および（ｂ）を参照すると、本発明の実施形態２によるシェルフ装置において、下ガイドベース１３Ｂは、マザーボード１００の下辺に形成された突起１０５に対応した孔部１３２を備えている。
【００５０】
マザーボード１００の突起１０５が孔部１３２に挿入されることにより、マザーボード１００が前後方向、左右方向、ならびに下方向に位置決めされると共に支持される。
【００５１】
さらに、図２（ａ）および（ｂ）ならびに図３に示されるように、マザーボード１００およびリアカバー１５がネジ２００によって枠体の一部である上ガイドベース１３Ｔに対して共締めでネジ止めされることにより、マザーボード１００およびリアカバー１５が前後方向、左右方向、ならびに上下方向に位置決めされると共に支持される。
【００５２】
［実施形態３］
図２（ａ）および（ｂ）、図５（ａ）および（ｂ）、ならびに図６（ａ）および（ｂ）を参照すると、本発明の実施形態３によるシェルフ装置において、左および右サイドパネル１４Ｌおよび１４Ｒはそれぞれ、マザーボード１００（１００ａ）の左右辺のおもて面に対応した第１突起１４３に加えて、マザーボード１００（１００ａ）の左右辺の裏面に対応した第２突起１４４ａをさらに備えている。
【００５３】
マザーボード１００（１００ａ）が第１突起１４３と第２突起１４４ａとの間に挿入されることにより、マザーボード１００（１００ａ）が前後方向に位置決めされると共に支持される。
【００５４】
尚、左および右サイドパネル１４Ｌおよび１４Ｒはそれぞれ、種々の厚さの複数のマザーボードの左右辺の裏面それぞれに対応して、複数の第２突起を備えている。即ち、図７（ａ）および（ｂ）ならびに図８（ａ）および（ｂ）をさらに参照すると、左および右サイドパネル１４Ｌおよび１４Ｒはそれぞれ、厚さＴａのマザーボード１００ａ（図５（ａ）および（ｂ）ならびに図６（ａ）および（ｂ））の左右辺の裏面に対応する第２突起１４４ａと、厚さＴｂのマザーボード１００ｂ（図７（ａ）および（ｂ））の左右辺の裏面に対応する第２突起１４４ｂと、厚さＴｃのマザーボード１００ｃ（図８（ａ）および（ｂ））の左右辺の裏面に対応する第２突起１４４ｃとを備えている。
【００５５】
一方、マザーボード１００ａの左右辺には、図５（ａ）および（ｂ）ならびに図６（ａ）および（ｂ）に示されるように、切欠部１０６ａが形成されている。マザーボード１００ｂの左右辺には、図７（ａ）および（ｂ）に示されるように、切欠部１０６ｂが形成されている。マザーボード１００ｃの左右辺には、図８（ａ）および（ｂ）に示されるように、切欠部１０６ｃが形成されている。切欠部１０６ａ〜１０６ｃのいずれも、マザーボードが本シェルフ装置に挿入されるときに、第２突起１４４ａ〜１４４ｃの全てをよけるように設計されている。
【００５６】
図５（ａ）および（ｂ）ならびに図６（ａ）および（ｂ）を参照してマザーボード１００ａを例に、本シェルフ装置におけるマザーボードの挿入および支持方法を説明する。下および上ガイドベース１３Ｂおよび１３Ｔならびに左および右サイドパネル１４Ｌおよび１４Ｒから成る枠体の後方から図５（ａ）における矢印ｉ１に沿って挿入されたマザーボード１００ａの左右片のおもて面は、図５（ａ）に示されるように、第１突起１４３によって前方向に位置決めされる。次いで、図６（ａ）における矢印ｉ２に沿って移動されたマザーボード１００ａの左右片の裏面は、図６（ａ）に示されるように、第２突起１４４ａによって後ろ方向に位置決めされる。かくして、厚さＴａのマザーボード１００ａは、第１突起１４３および第２突起１４４ａによって前後方向に位置決めされると共に支持される。
【００５７】
さらに、図２（ａ）および（ｂ）ならびに図３に示されるように、マザーボード１００（１００ａ）およびリアカバー１５がネジ２００によって枠体の一部である上ガイドベース１３Ｔに対して共締めでネジ止めされることにより、マザーボード１００（１００ａ）およびリアカバー１５が前後方向、左右方向、ならびに上下方向に位置決めされると共に支持される。
【００５８】
マザーボード１００ａと同様に、本シェルフ装置の後方から挿入されると共に図７（ａ）における矢印ｉ２に沿って移動された厚さＴｂのマザーボード１００ｂは、図７（ａ）に示されるように第１突起１４３および第２突起１４４ｂによって前後方向に位置決めされると共に支持される。
【００５９】
また、本シェルフ装置の後方から挿入されると共に図８（ａ）における矢印ｉ２に沿って移動された厚さＴｃのマザーボード１００ｃは、図８（ａ）に示されるように第１突起１４３および第２突起１４４ｃによって前後方向に位置決めされると共に支持される。
【００６０】
さらに、図２（ａ）および（ｂ）ならびに図３に示されるように、マザーボード１００（１００ｂ、１００ｃ）およびリアカバー１５がネジ２００によって枠体の一部である上ガイドベース１３Ｔに対して共締めでネジ止めされることにより、マザーボード１００（１００ｂ、１００ｃ）およびリアカバー１５が前後方向、左右方向、ならびに上下方向に位置決めされると共に支持される。
【００６１】
［実施形態４］
図３ならびに図１０を参照すると、本発明の実施形態４によるシェルフ装置において、左および右サイドパネル１４Ｌおよび１４Ｒは、各後辺領域に、外側に突出する弾性片１４６を備えている。
【００６２】
一方、リアカバー１５は、左および右サイドパネル１４Ｌおよび１４Ｒの後辺領域に対応する左および右フランジ部を備えている。
【００６３】
左および右フランジ部はそれぞれ、弾性片１４６に対応する切欠部１５５を備えている。
【００６４】
弾性片１４６が切欠部１５５に係合されることにより、リアカバー１５が前後方向、左右方向、ならびに上下方向に位置決めされると共に支持される。
【００６５】
さらに、図２（ａ）および（ｂ）ならびに図３に示されるように、マザーボード１００およびリアカバー１５がネジ２００によって枠体の一部である上ガイドベース１３Ｔに対して共締めでネジ止めされることにより、マザーボード１００およびリアカバー１５が前後方向、左右方向、ならびに上下方向に位置決めされると共に支持される。
【００６６】
ただし、弾性片１４６が切欠部１５５に係合されることによってリアカバー１５が前後方向、左右方向、ならびに上下方向に固定されると共に、マザーボード１００も前後方向、左右方向、ならびに上下方向に固定されるため、ネジ２００は省略されてもよい。ネジ２００を省略可能か否かは、弾性片１４６の切欠部１５５に対する係合強度がマザーボード１００にかかるプラグインユニットの例えば９８０Ｎ程度の挿抜荷重よりも大きいか否かによる。
【産業上の利用可能性】
【００６７】
以上説明した実施例に限定されることなく、本発明は、当該特許請求の範囲に記載された技術範囲内であれば、種々の変形が可能であることは云うまでもない。
【図面の簡単な説明】
【００６８】
【図１】（ａ）は従来のシェルフ装置を示す断面図、（ｂ）は背面図である。
【図２】（ａ）は本発明の実施形態１〜４によるシェルフ装置を示す断面図、（ｂ）は背面図である。
【図３】本発明の実施形態１〜４によるシェルフ装置の要部を示す断面図である。
【図４】（ａ）は本発明の実施形態２によるシェルフ装置の要部を示す断面図、（ｂ）は背面図である。
【図５】（ａ）は本発明の実施形態３によるシェルフ装置の要部を示す断面図、（ｂ）は背面図である。
【図６】（ａ）は本発明の実施形態３によるシェルフ装置の構造を説明するための要部を示す断面図、（ｂ）は背面図である。
【図７】（ａ）は本発明の実施形態３によるシェルフ装置の構造を説明するための要部を示す断面図、（ｂ）は背面図である。
【図８】（ａ）は本発明の実施形態３によるシェルフ装置の構造を説明するための要部を示す断面図、（ｂ）は背面図である。
【図９】本発明の実施形態１によるシェルフ装置の要部を示す断面図である。
【図１０】本発明の実施形態４によるシェルフ装置の要部を示す断面図である。
【符号の説明】
【００６９】
１３Ｂ  下ガイドベース
１３Ｔ  上ガイドベース
１３２    孔部
１４Ｌ  左サイドパネル
１４Ｒ  右サイドパネル
１４２    載置面
１４３    第１突起
１４４ａ、１４４ｂ、１４４ｃ  第２突起
１４６    弾性片
１５    リアカバー
１５４    ガイドピン
１５２    突条部
１５３    突条部
１５５    切欠部
１００、１００ａ、１００ｂ、１００ｃ  マザーボード
１０３    孔部
１０５    突起
１０６ａ、１０６ｂ、１０６ｃ  切欠部
２００    ネジ
【図１】
2008060447.tif 000003
【図２】
2008060447.tif 000004
【図３】
2008060447.tif 000005
【図４】
2008060447.tif 000006
【図５】
2008060447.tif 000007
【図６】
2008060447.tif 000008
【図７】
2008060447.tif 000009
【図８】
2008060447.tif 000010
【図９】
2008060447.tif 000011
【図１０】
2008060447.tif 000012